(57)【要約】【課題】本発明は収納家具等の開き扉を閉止すれば自動的に錠止され、常時自然開放防止状態になり不意の地震の揺れや家具の移動時の傾きによる内容物の飛び出しや開き扉の損傷を防ぐもので、その錠止の解錠は通常の開放動作上で簡便且つ速やかに行えるもので、その錠止の位置は把っ手の位置に拘束されず開き扉の上下方何れでも可能なこと。【解決手段】収納家具等の開き扉の把っ手本体３に手動操作部６を設け、該手動操作部と開き扉内側の錠止作動体内の錠止用ロッド９とを方向自在な鋼製ワイヤー６、７で連繋し、手動操作部が非操作状態で開き扉を閉止すると錠止部９ｂが錠止作動体内の鋼製スプリング９の反力により布勢され、戸棚本体の床板１ａ又は天板１ｂに装着された被綻止部材１４の被錠止部１４ａに強制的に錠止される。その開き扉の開放は把っ手を掴むと同時に手動操作部５を牽引操作することで鋼製スプリングが収縮し錠止部が被錠止部より離脱解錠し開き扉が開放されること。【選択図】    図１
2004245033.tif 000002
【特許請求の範囲】
【請求項１】
収納家具等の開き扉に装着される把っ手本体に設けられた手動操作部と錠止作動体内の錠止用ロッドとが微調整用のターンバックルを介し鋼製ワイヤーにて連繋され、該手動操作部が非操作状態のとき、錠止作動体内の錠止用ロッドが鋼製スプリングの反力によって常時布勢され錠止部が被錠止部に強制的に錠止された状態を保持する装置。開き扉の開放に当たっては通常の扉開放動作上において、手動操作部により鋼製ワイヤーを扉開放側に牽引操作することで鋼製ワイヤーで連繋された錠止作動体内の錠止用ロッドが同時に鋼製スプリングを圧縮しながら移動し錠止部が被錠止部から離脱、解錠される開き扉の把っ手連動自動錠止具。
【請求項２】
収納家具等の開き扉に装着される把っ手本体に設けられた手動操作部と、その開き扉の内面に装着される錠止作動体とを方向自在な鋼製ワイヤーで連繋することにより、把っ手と錠止作動体が互いにその装着位置を拘束されない開き扉の把っ手連動自動錠止具。
【発明の詳細な説明】
【技術分野】
【０００１】  本発明は収納家具等の開き扉が地震の揺れによる内容物の圧迫、本体の傾き、或いは人為的傾き等で開放されようとする現象を防止する開き扉の自然開放防止装置に関するものである。
【背景技術】
【０００２】  従来における収納家具等の開き扉に関する自然開放防止装置は、地震時の揺れ、若しくは他の外力を関知しないと機能しないものがあるがこれはその時点で１００％機能するか不安が残る、又、常時閉止状態を保つ装置のものも把っ手と錠止装置の相関関係により把っ手の取り付け位置が限定されるもの、扉が左右一対必要なもの、或いはその解錠に用いる弾性材により扉の周囲に間隙が生じ塵埃や害虫の侵入を容易にしているものがある。
【特許文献１】特開平１１−２６４２７１号公報
【特許文献２】特開平９−２７３３４８号公報
【特許文献３】特会平２００２−２１４０６号公報
【発明の開示】
【発明が解決しようとする課題】
【０００３】  本発明は、日常収納家具等の開き扉の開閉動作上においてその開き扉を閉止すれば自動的に錠止され常時自然開放防止状態が確認できるものであり、不意の地震の揺れによる内容物の飛出し散乱、或いは家具の移動時の傾きにより妄りに開放して損傷を受けることを防ぐもので特に地震災害時には避難上有効であること。そしてその錠止の解錠については通常の開き扉開放動作上の単一動作で容易且つ速やかに行えるものであり、又、該装置の装着にあたっては各扉の上下方何れでも可能なこと、特に把っ手本体と錠止作動体とは互いに装着位置を拘束されないこと。
【課題を解決するための手段】
【０００４】  本発明は上記の目的を達成するために収納家具等の各開き扉に装着する把っ手本体に手動操作部を設け、その手動操作部と扉の内面に装着する錠止作動体とを方向自在に出来る鋼製ワイヤーで連繋し、開き扉を閉止すれば自動的に錠止され、その開放に当たっては手動操作部を操作しなければ開放されない装置である。【０００５】  その錠止作動体は先ず、閉じられた一端に鋼製ワイヤー用の透孔を有し、他端の開口側に錠止用ロッドの回転防止用の爪部を有する中空管の錠止作動体ケースに鋼製スプリングと、その爪部とが掛かり合う溝を有する錠止用ロッドとを装填する。尚この爪部及び回転防止用溝は該錠止用ロッドの錠止部の後述する放物線面を家具本体内部に正対面することを維持させる為のものである。更に該錠止作動体ケースを収容し支持固定する外装中空管ケースとで構成される。【０００６】  その錠止作動体内の錠止用ロッドと把っ手の手動操作部とは微調整用のターンバックルを介し鋼製ワイヤーにて連繋され、把っ手の手動操作部が非操作状態の戸当たり部５ｅが開き扉の装着面に接している定位置の時、錠止作動体内の錠止用ロッドが鋼製スプリングにより常時付勢され錠止部が家具本体に装着された被錠止部材の被錠止部に強制的に錠止され開き扉の閉止状態を保持し自然開放を防止するものである。【０００７】  開き扉の開放に当っては通常の開き扉の開放動作上において、把っ手を掴むと同時に前記手動操作部を指で牽引操作すると鋼製ワイヤーで連繋された錠止作動体内の錠止用ロッドが同時に鋼製スプリングを圧縮しながら移動し、錠止部が被錠止部から離脱、解錠されて扉が開放される状態となる開き扉の把っ手連動自動錠止具とする。【０００８】  そして把っ手本体の装着位置は、手動操作部ど錠止作動体とを連繋する鋼製ワイヤーの長さとそれに応じた外装中空管ケースの長さを変えることにより、開き扉の開放端寄りの外面の上下方向において任意の位置に装着出きるものである。又、錠止作動体は方向を拘束されない鋼製ワイヤーで把っ手の手動操作部と連繋され、錠止作動体内の鋼製スプリングの反力により錠止用ロッドが常時布勢され錠止部が被錠止部に強制的に錠止される為、錠止方向は任意であり錠止作動体及び外装中空管ケースの装着位置は上下方何れでも可能である。
【発明の効果】
【０００９】  本発明の開き扉の把っ手連動自動錠止具は収納家具等の開き扉を閉止すると同時に開き扉が錠止され常に自然開放防止状態を保持出来る装置で、不意の地震の揺れによる内容物の飛び出し散乱を防止し、その避難を容易にする。特に陶器、ガラス器類の収納家具には有効である。又、家具の移動作業においてもその傾きにより扉が妄りに開いて損傷することを防止するものである。そして把っ手の手動操作部と錠止作動体を鋼製ワイヤーで連繋することから収納家具の開き扉の大小の制限を受けにくい利点もある。更に開き扉の開閉動作上にあっては一般的に使用されている開き扉の閉止用のマグネットキャッチャー，ローラーキャッチャー等、その開閉に抵抗感のある部品が不要になる。
【発明を実施するための最良の形態】
【００１０】  以下本発明の収納家具等における開き扉の把っ手連動自動錠止具の実施形態を図面に基づいて説明する。図示の実施例に於いて収納家具等本体１に蝶番、或いはバネ式蝶番等一般的方法で開閉自在に設けられた各開き扉毎に本発明の装置を装着するものである。【００１１】  図１は本発明の実施例の側面断面図であり開き扉の開放動作を行っていない扉の閉止状態を示すもので、把っ手本体３の手動操作部５が非操作状態で戸当たり部５ｅが開き扉の装着面に接している定位置にあり、家具本体１の床板１ａ向きに装着された錠止作動体内の錠止用ロッド９の錠止部９ｂが被錠止部材１４の被錠止部１４ａに掛かり合い、錠止された状態を示すものである。【００１２】  図２は同じく側面断面図であるが通常の扉の開放動作上において、該把っ手本体３を掴むと同時に手動操作部５の指欠け部５ａに指を掛け鋼製ワイヤー６、７を牽引したとき該手動操作部と連繋された錠止作動体ケース１０内の錠止用ロッド９が鋼製スプリング８の圧縮とともに移動し、家具本体の床板１ａに被錠止部材の被錠止部１４ａより錠止部９ｂが離脱、解錠された状態を示すものである。【００１３】  図３は本発明が外側の把っ手本体３と内側の錠止用ロッド９が方向自在の鋼製ワイヤーで連繋されていることから、錠止用ロッドを家具本体の天板１ｂ向きに装着した実施例の側面断面図である。この場合、把っ手の手動操作部が非操作状態の定位置にあるとき、錠止作動体ケース内の錠止用ロッド９が同ケース内の鋼製スプリング８の反力により家具本体の天板１ｂに装着された被錠止部材１４の被錠止部１４ａに強制的に布勢され該錠止部９ｂが常時錠止状態を保持するものである。【００１４】  図４は開き扉の閉止時における本発明の開き扉の把っ手連動自動錠止具の非操作状態を示す図１の側面立面図及び俯瞰図、家具内から見た正面立面図である。以下各図について説明をする。【００１５】図１、図２、図３、図４、図５において３は把っ手本体である。把っ手本体３は手動操作部５の透孔部５ｃを収容する為のガイドレール４を挿嵌する穿孔３ｃと開き扉に装着固定する為の穿孔３ｄ、そして上部に手動操作部５を装着する為の切欠きスペース３ａとその切欠きスペースと穿孔３ｃを結ぶ切込み溝３ｂを有し、そのガイドレールと手動操作部を挿嵌してその一体を成すものである。【００１６】  次に図１、図２、図３、図６において４はそのガイドレールである。ガイドレール４は両端に開口をもつ中空管で、且つ上部に通しの切込み開口４ａを有するものでその切込み開口を把っ手本体の切込み溝３ｂに合わせつつ穿孔３ｃに挿嵌する。その際、ガイドレールの後端は把っ手本体を開き扉へ装着したとき、後述する手動操作部に装着された鋼製ワイヤーの端部が円滑に戸棚内部に挿入でき、且つ把っ手本体の取付けの安定を図るため、その把っ手本体の取付け面より適宜突出させ開き扉にその長さ分だけ穿孔を設け掛かり合わせることが出来るようにする。【００１７】  図１、図２、図３、図４、図７において５は手動操作部である。該手動操作部は横断面が概ねＴ字型をなし上部は指掛け部５ａ、その下側が滑動面５ｂ、更に胴部５ｃ、そして下端が中空管状の透孔部５ｄ、該手動操作部が非操作状態のとき開���扉の表面と接する戸当り部５ｅからなる。尚、透孔部５ｄは戸当り部側を前記ガイドレールの突出面と同じく面一に突出する。把っ手本体に装着するに当っては予め、抜け止め６ａを施した鋼製ワイヤー６をその透孔部５ｄに戸当り部と反対側から挿通した後、把っ手本体の切欠きスペース３ａに滑動面５ｂを、切欠き溝３ｂに胴部５ｃを、挿嵌済みのガイドレール４に透孔部５ｄをそれぞれ掛かり合わせ、同じく戸当り部と反対側から挿嵌する。【００１８】  次に上記の一体化された把っ手の開き扉への装着に当たっては図１、図２、図３に示すように手動操作部の透孔部５ｄと一致する位置に開き扉２に同口徑程度の透孔を穿ち、鋼製ワイヤー６の他端を家具本体内に抜き出して後、該把っ手本体３を開き扉２に皿ねじ等一般的方法で固定装着する。【００１９】  次に図１、図２、図３、図４、図９において９は錠止用ロッドである。該錠止用ロッドは一端は鋼製ワイヤー結束用の輪状透孔９ａ、他端は錠止部９ｂで、該錠止部は後述の被錠止部に掛り合いを円滑にさせるべく、収納家具内部に正対面する面が放物線の断面をなすように削り成形された部分である。そして収納家具外部側に面する端部には同じく後述する錠止作動体ケースの爪部１０ｂを受ける爪部外れ止め９ｄを設け、更にその爪部と掛かり合う回転防止溝９ｃをそこから他端まで穿ち設けたものである。【００２０】  次に図１、図２、図３、図１０において１０は前記錠止用ロッドを収容する錠止作動体ケースである。該錠止作動体ケースは閉じられた一端に鋼製ワイヤー７を挿通す為の透孔１０ａ、他端の開口部の収納家具外部側に面する部分の内側に錠止用ロッドの回転防止用の爪部１０ｂ、そして透孔１０寄りの収納家具内部に面する側に後述の外装中空管に挿嵌し固定するための透孔１０ｃを有する中空管である。該錠止作動体ケースに図１、図２、図３、図８に示す鋼製スプリング８を先行挿入する、該鋼製スプリングの長さは前記の手動操作部が非操作状態の戸当たり部５ｅが開き扉の表面に接しているとき、次に装填する錠止用ロッド９の錠止部９ｂが後述の被錠止部１４ａとの掛かり合いに支障がない程度に錠止作動体ケースの開口部より突出させられる長さとする。そして予め輪状透孔９ａに鋼製ワイヤー７を結束した錠止用ロッドをその回転防止溝９ｃと錠止作動体ケースの爪部１０ｂとを掛り合わせて装填し、鋼製ワイヤーの他端を先行挿入した鋼製スプリングの内を通し、錠止作動体ケースの透孔１０ａより抜き出しその端部にターンバックル１８を結束し錠止作動体として一体化を図る。【００２１】  次に前記の収納家具本体の内側に抜き出しておいた把っ手側の鋼製ワイヤー６をその屈曲部が図１、図２、図３、図４に示すワイヤー受け通しねじ１２と概ね同等の部位に保持された状態で、且つ錠止部９ｂの先端が収納家具本体１ａ又は１ｂの表面に接する程度に長さ調製の上、前記ターンバックル１８の他方に結束し、更に該ターンバックルで微調整を行った後、該ターンバックルのねじ部に軽金属板等の戻り止め１９を施し錠止用ロッドの鉛直方向の部位を確定する。以上で開き扉表側の把っ手と内側の錠止作動体が連繋された状態となる【００２２】  次に図１、図２、図３、図４、図１１における１１はその錠止作動体として一体を成した錠止作動体ケースを収容し固定する外装中空管ケースである。該外装中空管ケースは両端開口で該錠止作動体を外装中空管ケース１１にその開口１１ｂ側より挿嵌し、それぞれの透孔１０ｃと透孔１１ｅとを一致させ短ねじ１３にてねじ締め固定し更に錠止作動体と外装中空管ケースの一体化を図る。このとき錠止作動体ケースの開口１０ｂと外装中空管ケースの開口１１ａとは面一の状態であり、前述の錠止部９ｂと被錠止部１４ａとの掛かり合いに支障がない状態となる。そして該外装中空管ケースの透孔１１ｄに鋼製ワイヤー６がスリット１１ｃを通りその外側に掛かるように通しねじ１２を装着した後、錠止部先端が収納家具本体の床板又は天板に接することを確認し、該外装中空管ケースを開き扉の内側に固定バンド１５及び硬質ゴムパッキング１６を用い開き扉の内面の下向き又は上向きに装着固定する。【００２３】  最後に被錠止部材１４を錠止作動体の装着位置に応じ家具本体の床板１ａ又は天板１ｂに被錠止部１４ａが錠止部９ｂに掛かり合う位置に装着する。
【図面の簡単な説明】
【００２４】
【図１】錠止部材を戸棚本体の床板側に装着した、開き扉の錠止状態を示す実施例の側面断面図。
【００２５】
【図２】錠止部材を戸棚本体の床板側に装着した、開き扉の錠止解除状態を示す実施例の側面断面図
【００２６】
【図３】錠止部材を戸棚本体の天板側に装着した、開き扉の錠止状態を示す実施例の側面断面図
【００２７】
【図４】錠止部材を戸棚本体の床板側に装着した、開き扉の錠止状態に於ける、（Ａ）は側面立面図、（Ｂ）は正面立面図、（Ｃ）は俯瞰図。
【００２８】
【図５】把っ手本体断面図、（Ａ）側面断面図、（Ｂ）横断面図
【００２９】
【図６】ガイドレール詳細図、（Ａ）横断面図、（Ｂ）側面立面図、（Ｃ）俯瞰図
【００３０】
【図７】手動操作部詳細図、（Ａ）側面立面図、（Ｂ）横断面図
【００３１】
【図８】鋼製スプリング立面図
【００３２】
【図９】錠止用ロッド詳細図、（Ａ）側面断面図、（Ｂ）俯瞰図、（Ｃ）水平断面図
【００３３】
【図１０】錠止作動体ケース詳細図、（Ａ）側面断面図、（Ｂ）正面立面図（戸棚内部より外向き）、（Ｃ）俯瞰図、（Ｄ）水平断面図
【００３４】
【図１１】外装中空管ケース詳細図、（Ａ）側面断面図、（Ｂ）正面断面図（戸棚内部より外向き）
【図１２】被錠止部材詳細図、（Ａ）横断面図、（Ｂ）側面断面図、（Ｃ）俯瞰図
【符号の説明】
【００３５】  １  収納家具本体
１ａ床板
１ｂ天板
２  開き扉
３  把っ手本体
３ａ切欠きスペース
３ｂ切込み溝
３ｃ穿孔
３ｄ穿孔
４  ガイドレール
４ａ開口
５  手動操作部
５ａ指掛け部
５ｂ滑動面
５ｃ胴部
５ｄ透孔部
５ｅ戸当たり部
６  鋼製ワイヤー
６ａ抜け止め
７  鋼製ワイヤー
８  鋼製スプリング
９  錠止用ロッド
９ａ輪状透孔
９ｂ錠止部
９ｃ回転防止溝
９ｄ爪部外れ止め
１０  錠止作動体ケース
１０ａ透孔
１０ｂ爪部
１０ｃ透孔
１１  外装中空管ケース
１１ａ開口
１１ｂ開口
１１ｃスリット
１１ｄ透孔
１１ｅ透孔
１２ｂ通しねじ
１３  短ねじ
１４  被錠止部材
１４ａ被錠止部
１４ｂ透孔
１４ｃＲ面
１５  固定バンド
１６  硬質ゴムパッキング
１７  化粧蓋
１８  ターンバックル
１９  戻り止め
【図１】
2004245033.tif 000003
【図２】
2004245033.tif 000004
【図３】
2004245033.tif 000005
【図４】
2004245033.tif 000006
【図５】
2004245033.tif 000007
【図６】
2004245033.tif 000008
【図７】
2004245033.tif 000009
【図８】
2004245033.tif 000010
【図９】
2004245033.tif 000011
【図１０】
2004245033.tif 000012
【図１１】
2004245033.tif 000013
【図１２】
2004245033.tif 000014